(57)【要約】【目的】紙綴じ具により各紙を綴じたものにおいて、紙の差し入れ、抜き取り、順序の入れ換え、組み換えを簡単・容易に行える様にすること。【構成】綴じ部材８に紙に形成された穴を通して紙を綴じる紙綴じ具において、第１構成部材６の先端部近傍の下側の部分と第２構成部材７の先端部近傍の下側の部分との為す角度αが綴じ部材８が閉じた状態で１５０°以下であり、第１構成部材６の先端部近傍の上側の部分及び第２構成部材７の先端部近傍の上側の部分は各々の先端部に進むに従って各々の下側へ落ち込む様に形成された誘導面を有し、各々の誘導面１３，１４の為す角度βは綴じ部材８が綴じた状態で３０°〜１４０°であり、かつ第１構成部材６と第２構成部材７との各々の先端部が一定の間隔ｇを維持できる間隔維持機構を備える様にした。【選択図】図１
2006341582.tif 000002
【特許請求の範囲】
【請求項１】
第１構成部材とこれに対向して備えられた第２構成部材とから成る綴じ部材であり、前記第１構成部材と第２構成部材との内の少なくとも一方が可動的に備えられた綴じ部材を備え、前記綴じ部材に紙に形成された穴を通して紙を綴じる紙綴じ具において、前記第１構成部材の先端部近傍の下側の部分と第２構成部材の先端部近傍の下側の部分との為す角度が前記綴じ部材が閉じた状態で１５０°以下であり、前記第１構成部材の先端部近傍の上側の部分及び第２構成部材の先端部近傍の上側の部分は各々の先端部に進むに従って各々の下側へ落ち込む様に形成された誘導面を各々有し、前記各々の誘導面の為す角度は前記綴じ部材が閉じた状態で３０°〜１４０°であり、かつ前記第１構成部材と第２構成部材との各々の先端部が一定の間隔を維持できる間隔維持機構を備えた紙綴じ具。
【発明の詳細な説明】
【発明の詳細な説明】
【産業上の利用分野】
【０００１】  本発明はルーズリーフ式手帳、ノートなどにおける各紙を綴じる紙綴じ具に係わり、紙の差し入れ、抜き取り、順序の入れ換え・組み換えなどが容易に行える様にした構造のものに関する。
【背景技術】
【０００２】  ルーズリーフ式手帳、ノートなどの様に紙綴じ具により各紙を綴じたものにおいて、紙の差し入れ、抜き取り、順序の入れ換え・組み換えなどを行なう場合は、各紙を綴じている綴じ部材を開いて（２つ割れ可能なリング状のものを開く）紙を全て抜き取り、順序の入れ換え・組換えなどを行なう必要があった。即ち、抜き取った紙をきちんと揃えておいて、各紙をめくりながら引き抜き・挿入を繰り返して順序の入れ換え・組換えなどを行なうのであるが、各紙は綴じられていない為、バラバラになり易く、崩れ易く、非常にやり難く、面倒なものであった。こうした作業を終えたら各紙を再びきちんと揃えて、紙に形成された穴を綴じ部材（リング状のもの）に通し、綴じ部材を閉じなければならなかった。以上の様に紙の差し入れ、抜き取り、順序の入れ換え・組み換えなどを行なう事はやり難く、面倒なものであった。
【発明が解決しようとする問題点】
【０００３】  本発明の目的はルーズリーフ式手帳、ノートなどの紙綴じ具により各紙を綴じたものにおいて、紙の差し入れ、抜き取り、順序の入れ換え・組み換えなどを簡単・容易に行える様にするところにある。
【問題点を解決する為の手段】
【０００４】  本発明は上記目的を達成する為、第１構成部材とこれに対向して備えられた第２構成部材とから成る綴じ部材であり、両者の内で少なくとも一方が可動的に備えられた綴じ部材を備え、前記綴じ部材に紙に形成した穴を通して紙を綴じる紙綴じ具において、第１構成部材の先端部近傍の下側の部分と第２構成部材の先端部近傍の下側の部分との為す角度が綴じ部材が閉じた状態で１５０°以下であり、第１構成部材の先端部近傍の上側の部分及び第２構成部材の先端部近傍の上側の部分は各々の先端部に進むに従って各々の下側へ落ち込む様に形成された誘導面を各々有し、各々の誘導面の為す角度は綴じ部材が閉じた状態で３０°〜１４０°であり。かつ第１構成部材と第２構成部材との各々の先端部が一定の間隔を維持できる間隔維持機構を備える様にした。
【実施例】
【０００５】  図１は本発明による紙綴じ具の一実施例で、先ず図１（イ）においてスライド板２は固定板１から横方向にスライド可能であり（固定板１に形成された案内レール４にスライド板２に形成された嵌り込み部５が嵌り込んでおり、これによりスライドする）、図はスライド板２が一杯に開いた図であり、スライド板２に形成された溝１０に操作板３に形成されたピン９が嵌り込み、操作板３を矢印の如く出し入れする事によりスライド板２をスライドさせるものである。操作板３は固定板１の底に形成された溝に嵌り込んでおり、操作板３を完全に押し込むとスライド板２は完全に閉じ、綴じ部材８が完全に閉じる様になっている。この時、操作板３を下方から見た部分図を示す図３（ロ）の如く固定板１に形成された突起１６が操作板３に形成されたカム山１７を乗り越えて強く接触する事により操作板３をしっかりと固定し（少々の力では動かない程度）、これによりピン９の位置がしっかり固定され、スライド板２もしっかりと固定される為、綴じ部材８が緩む事なく完全に閉じる様になるのである。綴じ部材８は固定板１に備えられた第１構成部材６とこれに対向して備えられた第２構成部材７とから成り（第２構成部材７はスライド板２に備えられており、第１構成部材６に対して可動的である）、操作板３を矢印の如く出し入れする事により閉じたり開いたりする事が出来る。図１（イ）の紙綴じ具は、図３（イ）の如く綴じ部材８に紙に形成された穴１５を通して各紙を綴じ、ルーズリーフ式手帳、ノートなどとして用いる（図３（イ）は縮小して描いてある）。図１（ロ）は図１（イ）において綴じ部材８を僅かに開いた図であり、これをＡ方向から見た図を図１（ニ）に示す。本発明では更に図１（ニ）の如く第１構成部材６の先端部近傍の下側の部分と第２構成部材７の先端部近傍の下側の部分との為す角度αが、綴じ部材８が閉じた状態で１５０°以下であり、第１構成部材６の先端部近傍の上側の部分及び第２構成部材７の先端部近傍の上側の部分は各々の先端部に進むに従って各々の下側へ落ち込む様に各々形成された誘導面１３，１４を有しており、かつ各々の誘導面１３，１４の為す角度βは綴じ部材８が閉じた状態で３０°〜１４０°である様に構成されている（図は綴じ部材８が僅かに開いた図であるから、前記α、βに殆ど変化はない）。綴じ部材８は以上の如く構成されているが、後に述べる綴じ部材８ａ，８ｂ，８ｃも同様に構成されている。次に図１（ロ）は図１（イ）において第１構成部材６と第２構成部材７との各々の先端部が一定の間隔ｇ（０．５〜１．５ｍｍ位の僅かな間隔で、１ｍｍ位が良い）を維持する様に操作板３を操作したものである。１２は段部で、必要不可欠なものではないが、あれば綴じ部材８を完全に閉じた時（図１（ハ）参照）、第１構成部材６又は第２構成部材７が少々開く様に変形しても紙が抜け出す事はない。前記間隔ｇを維持する為には、少々の力が第２構成部材７に加わっても、これが、即ちスライド板２が動かない様にする必要があり、従って先ず操作板３をその様に（少々の力が加わっても動かない）しなければならない。この為には、操作板３を下方から見た図３（ロ）の如く、固定板１に形成された突起１６が操作板３に形成され��凹部１８（カム山１７に形成）に嵌り込む様にするのが良い。もちろん図３（ハ）の如く突起１６とは別の突起１９を形成し、ここに凹部２０が嵌り込む様にしても良い。
以上により操作板３は固定板１に固定され、ピン９が固定されるから、スライド板２が、従って第２構成部材７か少々の力が加わっても動かない様になり、図１（ロ）の様に第１構成部材６と第２構成部材７との各々の先端部が一定の間隔ｇを維持できる様になる。この場合、ピン９が固定板１に固定されても、ピン９と溝１０との間の透き間が大きいとスライド板２がガタ付くから、前記透き間を図３（ニ）の如くＳの間（一定の間隔ｇを維持する為のピン９の位置範囲）だけでも小さくする事が望ましい。この時、Ｓの間の溝１０の傾きを操作板３の移動方向に近づける様に図３（ホ）の如く傾けると、より一層ガタ付が小さくなる。更には、案内レール４と嵌り込み部５との透き間を小さくしておくのが良い。この様にして操作板３の操作により、図１（ロ）の如く第１構成部材６と第２構成部材７との各々の先端部が一定の間隔ｇを維持できる様になる（少々の力が加わってもｇが変らない）。以上の様に本発明では、第１構成部材６と第２構成部材７との各々の先端部が一定の間隔ｇを維持できる間隔維持機構を備えているのである（この間隔維持機構とはスライド板２を動かす一連の機構、即ち操作板３、ピン９、溝１０等の各構造、更には図３（ロ）の突起１６、凹部１８も含むものである）。尚、図１（ロ）の如く第１構成部材６と第２構成部材７との各々の先端部が一定の間隔ｇを維持する様にするには、図３（ヘ）の如くスライド板２の底に突起２１を形成し、この突起２１が固定板１に強く接触する事によって、ここでスライド板２が固定される様にしても良い。この場合、間隔維持機構は操作板３、ピン９、溝１０などを含むスライド板２を動かす機構、及び突起２１を含む事になる。図３（ヘ）の場合、図３（ト）の如く突起２２が固定板１に形成された凹部２３に嵌り込む様にしても良い。次に本発明による紙綴じ具の使い方について説明する。
即ち、先ず図３（イ）において、操作板３を少し引き出し、第１構成部材６と第２構成部材７との各々の先端部が一定の間隔ｇ（１ｍｍ位）を維持する様にセットする（図１（ロ）参照）。次いで、これをＢ方向から見た図２（イ）の如く該当するページを開き、該当する紙を図示の如く引き抜き（図１（ニ）の如く角度αは１５０°以下に構成されている為、紙を上方へ引っ張れば自動的に間隔ｇの方へ横すべりし、引き抜く事が出来る）、図２（ロ）の如く順序を入れ換えたいページを開いた上で、先に引き抜いた紙を差し入れ、綴じ部材８に紙の穴を通すのである（図１（ニ）の如く角度βが３０°〜１４０°に構成されている時、紙は自動的に間隔ｇの方へ横すべりして容易に差し入れる事が出来る。又、幅Ｈも十分に大なので、クセのついた紙でも容易に差し入れる事ができる）。新しい紙の差し入れ、不要な紙の抜き取りも同様に行なう事ができる。順序の入れ換えが沢山ある場合は、図２（ハ）の如く一方の手で多数の紙を保持しながら該当するページを他方の手で開いて該当する紙を引き抜き、順序を入れ換えたいページを開いた上で、図２（ニ）の如く先に引き抜いた紙を差し入れ、以上を必要なだけ繰り返す。尚、図２において紙をめくる場合（ページをめくる）、図１（ニ）からも判る様に間隔ｇが小さく、紙をめくる勢いがついている為、紙が間隔ｇから抜け出したり、抜け落ちたりする事はない（間隔ｇを大きくセットする必要がある時は、図３（リ）の如く第１構成部材６、第２構成部材７の内で少なくとも一方にゴム片などの柔軟性に富む部材２４を備えておくと、紙片の抜け出し、抜け落ちは起らない）。又、第１構成部材６、第二構成部材７の各々の先端部近傍の下側の部分により逆Ｖ字形の形状が構成され（角度αは１５０°以下）、第１構成部材６、第２構成部材７の各々の先端部近傍の上側の部分によりＶ字形の形状が構成される為（角度βは３０°〜１４０°）、紙をめくる時、間隔ｇに相当する部分にひっかかる事がない）。尚、本発明における第１構成部材６、第２構成部材７は左右対称のものであったが、図３（チ）の如く非対称のものでも良い。この場合、紙は矢印の如く抜き又は差し入れを行なうのである。又、本発明ではスライド板２をスライドさせるには操作板３によっていたが、図３（ヌ）の如くレバー２５によって行なっても良い。即ち、レバー２５に備えられたピン２７がスライド板２に形成された溝２８に嵌り込んでおり、支点２６を中心にレバー２５を動かすと、スライド板２は図１（イ）と同様に横方向へスライドする。２９は押圧板で、レバー２５に形成された突起３０が押圧板２９に形成された凹部３１に嵌り込むと固定され、図１（ニ）の如く第１構成部材６と第２構成部材７との各々の先端部が一定の間隔ｇを維持する様になるのである。この場合、間隔維持機構はレバー２５、支点２６、ピン２７、溝２８などを含むスライド板２をスライドさせる機構、更には突起３０、凹部３１を含むものである。次に、本発明における間隔維持機構の他の構造のものを図４，５，６で説明する。
先ず図４（イ）における間隔維持機構は、第１構成部材６ａ、第２構成部材７ａを各々備えた可動板３２，３３の各々の長手方向端部から延びて来るレバー３４，３５、及びネジ３６から成るものである。図４（ロ）の如く可動板３２，３３は幅方向端部を互いに接触させた状態でバネ枠Ｐの中に収納され、可動板３２，３３がＶ字状になったり、逆Ｖ字状になったりして、綴じ部材８ａを閉じたり開いたりする（第１構成部材６ａ、第２構成部材７ａは共に可動である）。レバー３４，３５を指で挟む様にして押せば綴じ部材８ａは開く。ネジ３６はレバー３４に形成されたメネジ部にねじ込まれているが、レバー３５には単に貫通しているだけであり、ネジ３６を回転させるとネジ３６の頭部はレバー３５を押す為、図１（ロ）と同様に綴じ部材８ａを間隔ｇだけ（１ｍｍ位）開かせる事が出来る。
この場合、各綴じ部材８ａの各々の間隔ｇが互いに同一となる様に可動板３２，３３を十分に厚くして、ねじれによるバラツキが出ない様にする。使用法は図２で述べた通りであり、使用後はネジ３６を緩めて、綴じ部材８ａを完全に閉じておく様にする。尚、図４（イ）において可動板３２，３３の互いに接触した部分を下から押すと綴じ部材８ａを開かせる事が出来るが、図４（ハ）はこれをレバー３７を押す事によって行なう様にしたものである（これは公知であるので、説明は省略する）。
従って、図４（ハ）においてネジ３８をねじ込めば、図１（ロ）と同様に綴じ部材８ａを間隔ｇだけ開かせる事が出来る（ネジ３８はレバー３７を単に貫通しているだけであるが、ねじ込むとネジ３８の頭部がレバー３７を押す）。次に図５（イ），（ロ）における間隔維持機構は回動軸４１を中心に回動可能な回動板４０、及び回動板４０に形成された突起４３、固定板３９に備えられた突片４２に形成された凹部（図示せず）から成るもので、この凹部に突起４３を嵌め込むと、図１（ロ）と同様に綴じ部材８ｂを間隔ｇだけ開かせる事が出来る。図５（イ）は回動板４０を完全に閉じた図、図５（ロ）は回動板４０を開いた図である。綴じ部材８ｂの開き方は回動軸４１からの距離に比例して開くから、各綴じ部材８ｂに形成された段部４４の長さは回動軸４１から遠いもの程、大である様にしてある。これにより、図５（ハ）の如く綴じ部材８ｂはどれでも一定の間隔ｇだけ開かせる事が出来る。綴じ部材８ｂを完全に閉じた図を図５（ニ）に示すが、第１構成部材６ｂ、第２構成部材７ｂの各々の先端部が断面から突び出して、紙をめくる時のひっかかりとならない様にしなければならない。この様にするには、第２構成部材７ｂの動きは回動軸４１からの距離によって各々異なるから、これには綴じ部材８ｂの太さを変えて対処する（回動軸４１から遠いものほど太くする）。
図６（イ）の紙綴じ具における間隔維持機構は、第２構成部材７ｃを回動させる（開かせる）カム山４８を有する操作板４７、ねじりコイルバネ５１、及びカム山４８に形成された凹部４９などから成るものである。図６（ロ）はＥ−Ｅ′断面を拡大したもので、第１構成部材６ｃは固定板４５に備えられ、第２構成部材７ｃは回動軸４６を中心に回動可能に備えられている（ねじりコイルバネ５１などで第２構成部材７ｃを閉じる方向に力を与えておく）。固定板４５の内部には操作板４７が内蔵されているが、操作板４７にはこれを横方向から見た図６（ハ）の如くカム山４８が形成され、操作板４７を手前に引くとカム山４８と接触するレバー５０を介して第２構成部材７ｃを開く。従って操作板４７を少し引き、レバー５０がカム山４８に形成された凹部４９に嵌り込むと、図１（ロ）と同様に綴じ部材８ｃを間隔ｇだけ開かせる事が出来る。使用法は図２で述べた通りであり、使用後は操作板４７を完全に押し込む。尚、第１構成部材６ｃは固定されているが、第２構成部材７ｃと同様に回動的に備える事も出来、これを図６（ニ）に示す。
【発明の効果】
【０００６】  本発明によれば図２で説明した様に、綴じ部材８（８ａ，８ｂ，８ｃ）を閉じたと同等の状態（僅かな間隔ｇだけ開けてあるが）で紙の差し入れ、抜き取り、順序の入れ換え・組み換えを行なう事が出来る。従って各紙は綴じられていると同等の状態であるから、従来の様に作業中に各紙がバラバラになったり、崩れたり、１枚だけ落下したりする事がなく、紙の差し入れ、抜き取り、順序の入れ換え・組み換えは簡単・容易で、非常にやり易くなる（従来は綴じ部材を開いて、紙を全て抜き出してから行なっていた）。又、各紙は綴じられていると同等の状態であるから、どの紙をどのページに入れ換えるかなどはページをパラパラとめくりながら行える。従って便利であり、作業もスピーディになり、読みながら調べながら行なう事も出来る。分類に効力を発揮する様になる。
【図面の簡単な説明】
【図１】  本発明による紙綴じ具を示す図。
【図２】  本発明による紙綴じ具の使用法を示す図。
【図３】  本発明による紙綴じ具の各種実施例を示す図。
【図４】  本発明による紙綴じ具を示す図。
【図５】  本発明による紙綴じ具を示す図。
【図６】  本発明による紙綴じ具を示す図。
【符号の説明】
１・４５は固定板、２はスライド板、３・４７は操作板、４は案内レール、５は嵌り込み部、６・６ａ・６ｂ・６ｃは第１構成部材、７・７ａ・７ｂ・７ｃは第２構成部材、８・８ａ・８ｂ・８ｃは綴じ部材、９・２７はピン、１０は溝、１１はかしめ部、１２・４４は段部、１３・１４は誘導面、１５は穴、１６・１９・３０・４３は突起、１７・４８はカム山、１８・２０・２３・３１・４９は凹部、２１は突起、２２は突起、２４は部材、２５・３４・３５・５０はレバー、２６は支点、２８は溝、２９は押圧板、３２・３３は可動板、３６・３８はネジ、３９は固定板、４０は回動板、４１は回動軸、４２は突片、４６は回動軸、５１はねじりコイルバネである。Ｐはバネ枠である。
【図１】
2006341582.tif 000003
【図２】
2006341582.tif 000004
【図３】
2006341582.tif 000005
【図４】
2006341582.tif 000006
【図５】
2006341582.tif 000007
【図６】
2006341582.tif 000008